(57)【特許請求の範囲】
【請求項１】
複数段階の出玉率に対応する複数段階の設定値のうちのいずれか１つを選択的に設定可能な遊技機を管理対象とした遊技場用管理装置であって、
遊技機の遊技データを特定可能な遊技信号を遊技機側から受信する受信手段と、
各遊技機に設定された設定値を特定可能な設定情報を受け付ける設定情報受付手段と、
該設定情報受付手段が受け付けた設定情報、及び前記受信手段が受信した遊技信号に基づいて特定される営業日毎の遊技データを設定値毎に区別可能な状態で管理する遊技データ管理手段と、
遊技場における各営業日の営業種別を特定可能な営業種別情報を記憶する営業種別記憶手段と、
遊技データを抽出する抽出期間を設定する抽出期間設定手段と、
前記営業種別記憶手段が記憶する前記営業種別情報に基づいて、前記抽出期間の各営業日のうち補正対象となる営業種別の営業日である対象営業日を特定する対象営業日特定手段と、
前記営業種別記憶手段が記憶する前記営業種別情報に基づいて、前記抽出期間の各営業日のうち補正基準となる営業種別の営業日である基準営業日を特定する基準営業日特定手段と、
前記遊技データ管理手段が前記抽出期間について管理する遊技データの中から前記対象営業日の遊技データである対象データを抽出する対象データ抽出手段と、
前記遊技データ管理手段が前記抽出期間について管理する遊技デ−タの中から前記基準営業日の遊技データである基準データを抽出する基準データ抽出手段と、
前記基準データと前記対象データとの比率を示す遊技データである補正情報を生成する補正情報生成手段と、
遊技データを補正する対象期間である補正対象期間を設定可能な対象期間設定手段と、
前記営業種別記憶手段が記憶する前記営業種別情報に基づき、前記補正対象期間の各営業日のうち補正対象となる営業種別の営業日である補正対象営業日を特定する補正対象営業日特定手段と、
前記遊技データ管理手段が前記補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段と、
該補正手段により補正された前記補正遊技データを出力する出力手段と、
前記営業種別記憶手段が記憶する前記営業種別情報に基づいて、前記補正対象期間における補正基準となる営業種別の営業日である補正基準営業日を特定する補正基準営業日特定手段と、を備え、
前記補正手段は、前記遊技データ管理手段が前記補正対象期間について管理する遊技データの中から前記補正基準営業日の遊技データである補正基準データを設定値毎に抽出し、
前記補正対象期間における前記補正対象営業日について算出した設定値毎の補正遊技データに対して当該設定値毎の補正基準データを加算することにより、当該補正対象期間における全営業日についての前記補正遊技データを設定値毎に算出し、
前記出力手段は、前記補正手段が算出した補正対象期間における全営業日の補正遊技データを出力することを特徴とする遊技場用管理装置。
【請求項２】
前記対象データ及び前記基準データは、抽出した遊技データに所定の演算処理を行って算出した営業日１日遊技機１台当たりの平均の遊技データであることを特徴とする請求項１に記載の遊技場用管理装置。
【請求項３】
シミュレート対象期間、該シミュレート対象期間において対象となる営業種別、及び前記シミュレート対象期間における前記対象となる営業種別毎の遊技機の延べ台数であるシミュレート台数を設定値毎に特定可能な設定情報を、シミュレーション条件として設定する条件設定手段と、
該条件設定手段が設定したシミュレーション条件に基づいて前記対象となる営業種別を特定した上で、前記シミュレーション条件下で予測される設定値毎の予測遊技データを算出するシミュレート手段と、を備え、
前記補正手段は、前記シミュレート手段が特定した前記対象となる営業種別毎に、当該営業種別を補正基準とした前記補正遊技データを算出し、
前記シミュレート手段は、前記補正手段が営業種別毎に算出した補正遊技データと前記シミュレート台数とに基づく所定の演算処理を行うことで、前記営業種別毎の予測遊技データを設定値毎に算出し、さらに当該算出した営業種別毎の予測遊技データを設定値単位で加算することにより特定される遊技データを前記設定値毎の予測遊技データとして算出し、
前記出力手段は、前記シミュレート手段が算出した設定値毎の予測遊技データを出力可能なように構成されていることを特徴とする請求項１又は２に記載の遊技場用管理装置。
【請求項４】
複数段階の出玉率に対応する複数段階の設定値のうちのいずれか１つを選択的に設定可能な遊技機を管理対象とした遊技場用管理装置であって、
遊技機の遊技データを特定可能な遊技信号を遊技機側から受信する受信手段と、
各遊技機に設定された設定値を特定可能な設定情報を受け付ける設定情報受付手段と、
該設定情報受付手段が受け付けた設定情報、及び前記受信手段が受信した遊技信号に基づいて特定される営業日毎の遊技データを設定値毎に区別可能な状態で管理する遊技データ管理手段と、
遊技場における各営業日の営業種別を特定可能な営業種別情報を記憶する営業種別記憶手段と、
遊技データを抽出する抽出期間を設定する抽出期間設定手段と、
前記営業種別記憶手段が記憶する前記営業種別情報に基づいて、前記抽出期間の各営業日のうち補正対象となる営業種別の営業日である対象営業日を特定する対象営業日特定手段と、
前記営業種別記憶手段が記憶する前記営業種別情報に基づいて、前記抽出期間の各営業日のうち補正基準となる営業種別の営業日である基準営業日を特定する基準営業日特定手段と、
前記遊技データ管理手段が前記抽出期間について管理する遊技データの中から前記対象営業日の遊技データである対象データを抽出する対象データ抽出手段と、
前記遊技データ管理手段が前記抽出期間について管理する遊技デ−タの中から前記基準営業日の遊技データである基準データを抽出する基準データ抽出手段と、
前記基準データと前記対象データとの比率を示す遊技データである補正情報を生成する補正情報生成手段と、
遊技データを補正する対象期間である補正対象期間を設定可能な対象期間設定手段と、
前記営業種別記憶手段が記憶する前記営業種別情報に基づき、前記補正対象期間の各営業日のうち補正対象となる営業種別の営業日である補正対象営業日を特定する補正対象営業日特定手段と、
前記遊技データ管理手段が前記補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段と、
該補正手段により補正された前記補正遊技データを出力する出力手段と、
シミュレート対象となる営業種別、設定値、及び遊技機の台数を特定可能な設定情報を、シミュレーション条件として設定する条件設定手段と、
前記シミュレート対象となる設定値毎の遊技機の台数の組合せである台数パターンを算出する台数パターン算出手段と、
前記対象となる営業種別を特定した上で、予測遊技データを算出するシミュレート手段と、
抽出対象となる遊技データ範囲を設定する範囲設定手段と、を備え、
前記補正手段は、前記シミュレート手段が特定した前記対象となる営業種別を補正基準とした前記補正遊技データを算出し、
前記シミュレート手段は、前記台数パターン算出手段が算出した台数パターンと、前記補正手段が補正した前記補正遊技データとに基づく所定の演算処理を行うことで、前記台数パターン毎の予測遊技データを算出し、
前記出力手段は、前記台数パターン算出手段が算出した台数パターンのうち、前記シミュレート手段が算出した予測遊技データが、前記範囲設定手段が設定した遊技データ範囲に属している台数パターンのリストを出力するように構成されていることを特徴とする遊技場用管理装置。
【請求項５】
複数段階の出玉率に対応する複数段階の設定値のうちのいずれか１つを選択的に設定可能な遊技機を管理対象とした遊技場用管理装置であって、
遊技機の遊技データを特定可能な遊技信号を遊技機側から受信する受信手段と、
各遊技機に設定された設定値を特定可能な設定情報を受け付ける設定情報受付手段と、
該設定情報受付手段が受け付けた設定情報、及び前記受信手段が受信した遊技信号に基づいて特定される営業日毎の遊技データを設定値毎に区別可能な状態で管理する遊技データ管理手段と、
遊技場における各営業日の営業種別を特定可能な営業種別情報を記憶する営業種別記憶手段と、
遊技データを抽出する抽出期間を設定する抽出期間設定手段と、
前記営業種別記憶手段が記憶する前記営業種別情報に基づいて、前記抽出期間の各営業日のうち補正対象となる営業種別の営業日である対象営業日を特定する対象営業日特定手段と、
前記営業種別記憶手段が記憶する前記営業種別情報に基づいて、前記抽出期間の各営業日のうち補正基準となる営業種別の営業日である基準営業日を特定する基準営業日特定手段と、
前記遊技データ管理手段が前記抽出期間について管理する遊技データの中から前記対象営業日の遊技データである対象データを抽出する対象データ抽出手段と、
前記遊技データ管理手段が前記抽出期間について管理する遊技デ−タの中から前記基準営業日の遊技データである基準データを抽出する基準データ抽出手段と、
前記基準データと前記対象データとの比率を示す遊技データである補正情報を生成する補正情報生成手段と、
遊技データを補正する対象期間である補正対象期間を設定可能な対象期間設定手段と、
前記営業種別記憶手段が記憶する前記営業種別情報に基づき、前記補正対象期間の各営業日のうち補正対象となる営業種別の営業日である補正対象営業日を特定する補正対象営業日特定手段と、
前記遊技データ管理手段が前記補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段と、
該補正手段により補正された前記補正遊技データを出力する出力手段と、
設定値毎のスペックデータを受け付けるスペック受付手段と、
所定の営業種別における遊技機の延べ台数を設定値毎に算出する台数算出手段と、
該台数算出手段が算出した延べ台数により重み付けした前記設定値毎のスペックデータの加重平均である平均スペックを算出する平均スペック算出手段と、
該平均スペック算出手段が算出した平均スペックと所定のスペックデータとの比率に応じて前記対象データを補正した仮想対象データ、及び前記平均スペックと前記所定のスペックデータとの比率に応じて前記基準データを補正した仮想基準データのうちの少なくともいずれかである仮想データを算出する仮想データ算出手段と、を備え、
前記補正情報生成手段は、前記仮想データ算出手段が算出した仮想データを用いて前記補正情報を生成するように構成されていることを特徴とする遊技場用管理装置。
【発明の詳細な説明】
【技術分野】
【０００１】
本発明は、遊技場に設置した遊技機を管理するための遊技場用管理装置に関する。
【背景技術】
【０００２】
従来より、設定値の変更により出玉率を調整可能な遊技機が知られている。この遊技機では、例えば、出玉率９６％に相当する設定値１、出玉率９８％に相当する設定値２等、複数段階の設定値を設定可能である。遊技者は、遊技機に設定されている設定値が分からないため、高い出玉率に対応する高設定値（設定値５、６等）が設定された遊技機であることを期待しながら遊技を行っている。一方、遊技場側では、遊技場側の利益を確保するため、多くの遊技機に設定値１、２等の低設定値を設定する傾向にある。それ故、多くの遊技者は、低設定値の遊技機を遊技することになる。この場合、例えば、払出が偏る等、高設定値と期待できるような遊技傾向を示す設定値が遊技者に好まれる傾向にある。そして、このような遊技機に関する遊技データを管理するための遊技場用管理装置としては、設定値毎の遊技データを管理するものが提案されている（例えば、特許文献１参照。）。
【０００３】
遊技場における複数段階の設定値の配分は、必ずしも一定ではなく、曜日に応じて偏りが生じる傾向がある。例えば、集客率が高まる土日等の多くの遊技者にとっての休日では、集客よりも粗利が重視されて低設定の設定頻度が高くなる傾向にある一方、平日では、集客が重観されて高設定の設定頻度が高くなる傾向にある。そこで、土日又は平日等、曜日によって来店する遊技客層が異なる傾向が有ることを考慮し、曜日別に遊技データを管理する遊技場用管理装置が提案されている（例えば、特許文献２参照。）。
【０００４】
しかしながら、前記従来の遊技場用管理装置では、次のような問題がある。すなわち、特許文献１のように遊技データを管理した場合、土日と平日との集客率の違いに起因し、土日に多く設定される低設定値が遊技者に好まれる設定値であることを示すような遊技データが生成されるおそれがある。そこで、特許文献２のように曜日別で遊技データを管理すれば良いとも考えられるが、曜日によって設定値の設定頻度に偏りが生じているため、設定頻度の低い設定値についての遊技情報が収束するまでに時間を要し、設定値毎の遊技データを迅速に高精度に比較することが困難となるおそれがある。
【０００５】
さらに、近年、客離れが生じるまでの期間である遊技機の寿命が短くなっているため、遊技データに基づいた設定値の特性の把握が急務となっている。設定値の特性の把握を急ぐあまり、特許文献１のように収集した遊技データに基づいて低設定値が遊技者に好まれていると誤って判断してしまうおそれもある。このような誤った判断に基づいて平日に低設定値を多く設定してしまうと、平日の集客が一気に減少してしまうおそれもある。そして、遊技者に一旦、敬遠された遊技機については集客が難しくなり、寿命がますます短くなってしまうおそれがある。
【０００６】
【特許文献１】特開２００４−２４３０１２号公報
【特許文献２】特開２００４−０２４５６２号公報
【発明の開示】
【発明が解決しようとする課題】
【０００７】
本発明は、前記従来の問題点に鑑みてなされたものであり、土日や平日等、営業日毎の営業種別によらず、遊技者に好まれる設定値を精度高く把握し得る遊技場用管理装置を提供しようとするものである。
【課題を解決するための手段】
【０００８】
本発明は、複数段階の出玉率に対応する複数段階の設定値のうちのいずれか１つを選択的に設定可能な遊技機を管理対象とした遊技場用管理装置であって、
遊技機の遊技データを特定可能な遊技信号を遊技機側から受信する受信手段と、
各遊技機に設定された設定値を特定可能な設定情報を受け付ける設定情報受付手段と、
該設定情報受付手段が受け付けた設定情報、及び前記受信手段が受信した遊技信号に基づいて特定される営業日毎の遊技データを設定値毎に区別可能な状態で管理する遊技データ管理手段と、
遊技場における各営業日の営業種別を特定可能な営業種別情報を記憶する営業種別記憶手段と、
遊技データを抽出する抽出期間を設定する抽出期間設定手段と、
前記営業種別記憶手段が記憶する前記営業種別情報に基づいて、前記抽出期間の各営業日のうち補正対象となる営業種別の営業日である対象営業日を特定する対象営業日特定手段と、
前記営業種別記憶手段が記憶する前記営業種別情報に基づいて、前記抽出期間の各営業日のうち補正基準となる営業種別の営業日である基準営業日を特定する基準営業日特定手段と、
前記遊技データ管理手段が前記抽出期間について管理する遊技データの中から前記対象営業日の遊技データである対象データを抽出する対象データ抽出手段と、
前記遊技データ管理手段が前記抽出期間について管理する遊技デ−タの中から前記基準営業日の遊技データである基準データを抽出する基準データ抽出手段と、
前記基準データと前記対象データとの比率を示す遊技データである補正情報を生成する補正情報生成手段と、
遊技データを補正する対象期間である補正対象期間を設定可能な対象期間設定手段と、
前記営業種別記憶手段が記憶する前記営業種別情報に基づき、前記補正対象期間の各営業日のうち補正対象となる営業種別の営業日である補正対象営業日を特定する補正対象営業日特定手段と、
前記遊技データ管理手段が前記補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段と、
該補正手段により補正された前記補正遊技データを出力する出力手段と、
前記営業種別記憶手段が記憶する前記営業種別情報に基づいて、前記補正対象期間における補正基準となる営業種別の営業日である補正基準営業日を特定する補正基準営業日特定手段と、を備え、
前記補正手段は、前記遊技データ管理手段が前記補正対象期間について管理する遊技データの中から前記補正基準営業日の遊技データである補正基準データを設定値毎に抽出し、
前記補正対象期間における前記補正対象営業日について算出した設定値毎の補正遊技データに対して当該設定値毎の補正基準データを加算することにより、当該補正対象期間における全営業日についての前記補正遊技データを設定値毎に算出し、
前記出力手段は、前記補正手段が算出した補正対象期間における全営業日の補正遊技データを出力することを特徴とする遊技場用管理装置にある（請求項１）。
【０００９】
本発明の遊技場用管理装置は、前記基準データ抽出手段が抽出した前記基準データと、前記対象データ抽出手段が抽出した前記対象データとの比率である前記補正情報を算出する前記補正情報生成手段、及び前記補正情報により補正された前記補正遊技データを算出する前記補正手段を備えている。前記対象データは、前記抽出期間のうち、前記対象営業日に関する遊技データである。前記基準データは、前記抽出期間のうち、前記基準営業日に関する遊技データである。
【００１０】
前記補正手段が算出する前記設定値毎の補正遊技データは、営業種別の違いによる遊技データの偏りが補正された遊技データとなっている。それ故、前記補正遊技データに基づけば、営業種別が相違し集客効果に高低差がある営業日相互間での遊技データの比較を精度高く実施可能である。前記補正手段が算出する前記設定値毎の補正遊技データに基づけば、営業種別の違いによる集客効果の違いによる影響を排除した上で、設定値毎の遊技データを精度高く比較できる。それ故、前記設定値毎の補正遊技データに基づけば、遊技者に真に支持され、好まれる設定値を把握できるようになる。遊技者に好まれる設定値を把握できれば、遊技場の集客を向上するための非常に有効な指針を得ることができる。
【００１１】
以上のように、本発明の遊技場用管理装置は、土日や平日等、営業日毎の営業種別によらず、遊技者に支持される設定値を精度高く把握し得るという優れた特性を備えた管理装置である。
【００１２】
本発明の遊技場用管理装置が管理対象とする遊技機は、遊技者側の有利度合いを調整するための設定値を設定可能な遊技機であれば良い。このような遊技機としては、スロットマシンやパロット（Ｒ）等が一般的であるが、パチンコ機など他の遊技機であっても良い。
【００１３】
また、前記対象データ及び前記基準データは、抽出した遊技データに所定の演算処理を行って算出した営業日１日遊技機１台当たりの平均の遊技データであることが好ましい（請求項２）。
この場合には、前記対象データ及び前記基準データを正規化することにより、各遊技データの取り扱いが容易となる。
【００１４】
また、シミュレート対象期間、該シミュレート対象期間において対象となる営業種別、及び前記シミュレート対象期間における前記対象となる営業種別毎の遊技機の延べ台数であるシミュレート台数を設定値毎に特定可能な設定情報を、シミュレーション条件として設定する条件設定手段と、
該条件設定手段が設定したシミュレーション条件に基づいて前記対象となる営業種別を特定した上で、前記シミュレーション条件下で予測される設定値毎の予測遊技データを算出するシミュレート手段と、を備え、
前記補正手段は、前記シミュレート手段が特定した前記対象となる営業種別毎に、当該営業種別を補正基準とした前記補正遊技データを算出し、
前記シミュレート手段は、前記補正手段が営業種別毎に算出した補正遊技データと前記シミュレート台数とに基づく所定の演算処理を行うことで、前記営業種別毎の予測遊技データを設定値毎に算出し、さらに当該算出した営業種別毎の予測遊技データを設定値単位で加算することにより特定される遊技データを前記設定値毎の予測遊技データとして算出し、
前記出力手段は、前記シミュレート手段が算出した設定値毎の予測遊技データを出力可能であることが好ましい（請求項３）。
【００１５】
この場合には、前記補正遊技データに基づいて算出された前記予測遊技データは、営業種別の違いによる集客効果の違いを考慮した遊技データとなる。このような予測遊技データに基づけば、遊技場を経営する上での営業指針を精度高く把握できるようになる。
【００１６】
本発明の他の態様は、複数段階の出玉率に対応する複数段階の設定値のうちのいずれか１つを選択的に設定可能な遊技機を管理対象とした遊技場用管理装置であって、
遊技機の遊技データを特定可能な遊技信号を遊技機側から受信する受信手段と、
各遊技機に設定された設定値を特定可能な設定情報を受け付ける設定情報受付手段と、
該設定情報受付手段が受け付けた設定情報、及び前記受信手段が受信した遊技信号に基づいて特定される営業日毎の遊技データを設定値毎に区別可能な状態で管理する遊技データ管理手段と、
遊技場における各営業日の営業種別を特定可能な営業種別情報を記憶する営業種別記憶手段と、
遊技データを抽出する抽出期間を設定する抽出期間設定手段と、
前記営業種別記憶手段が記憶する前記営業種別情報に基づいて、前記抽出期間の各営業日のうち補正対象となる営業種別の営業日である対象営業日を特定する対象営業日特定手段と、
前記営業種別記憶手段が記憶する前記営業種別情報に基づいて、前記抽出期間の各営業日のうち補正基準となる営業種別の営業日である基準営業日を特定する基準営業日特定手段と、
前記遊技データ管理手段が前記抽出期間について管理する遊技データの中から前記対象営業日の遊技データである対象データを抽出する対象データ抽出手段と、
前記遊技データ管理手段が前記抽出期間について管理する遊技デ−タの中から前記基準営業日の遊技データである基準データを抽出する基準データ抽出手段と、
前記基準データと前記対象データとの比率を示す遊技データである補正情報を生成する補正情報生成手段と、
遊技データを補正する対象期間である補正対象期間を設定可能な対象期間設定手段と、
前記営業種別記憶手段が記憶する前記営業種別情報に基づき、前記補正対象期間の各営業日のうち補正対象となる営業種別の営業日である補正対象営業日を特定する補正対象営業日特定手段と、
前記遊技データ管理手段が前記補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段と、
該補正手段により補正された前記補正遊技データを出力する出力手段と、
シミュレート対象となる営業種別、設定値、及び遊技機の台数を特定可能な設定情報を、シミュレーション条件として設定する条件設定手段と、
前記シミュレート対象となる設定値毎の遊技機の台数の組合せである台数パターンを算出する台数パターン算出手段と、
前記対象となる営業種別を特定した上で、予測遊技データを算出するシミュレート手段と、
抽出対象となる遊技データ範囲を設定する範囲設定手段と、を備え、
前記補正手段は、前記シミュレート手段が特定した前記対象となる営業種別を補正基準とした前記補正遊技データを算出し、
前記シミュレート手段は、前記台数パターン算出手段が算出した台数パターンと、前記補正手段が補正した前記補正遊技データとに基づく所定の演算処理を行うことで、前記台数パターン毎の予測遊技データを算出し、
前記出力手段は、前記台数パターン算出手段が算出した台数パターンのうち、前記シミュレート手段が算出した予測遊技データが、前記範囲設定手段が設定した遊技データ範囲に属している台数パターンのリストを出力するように構成されていることを特徴とする遊技場用管理装置にある（請求項４）。
【００１７】
この場合には、遊技場側が望む遊技データを実現できる可能性が高いと予測される前記台数パターンを出力可能になる。各設定値の遊技機の台数の組合せである前記台数パターンに基づけば、遊技場の管理者等が各設定値の配分を効率良く決定できるようになる。
【００１８】
本発明の他の態様は、複数段階の出玉率に対応する複数段階の設定値のうちのいずれか１つを選択的に設定可能な遊技機を管理対象とした遊技場用管理装置であって、
遊技機の遊技データを特定可能な遊技信号を遊技機側から受信する受信手段と、
各遊技機に設定された設定値を特定可能な設定情報を受け付ける設定情報受付手段と、
該設定情報受付手段が受け付けた設定情報、及び前記受信手段が受信した遊技信号に基づいて特定される営業日毎の遊技データを設定値毎に区別可能な状態で管理する遊技データ管理手段と、
遊技場における各営業日の営業種別を特定可能な営業種別情報を記憶する営業種別記憶手段と、
遊技データを抽出する抽出期間を設定する抽出期間設定手段と、
前記営業種別記憶手段が記憶する前記営業種別情報に基づいて、前記抽出期間の各営業日のうち補正対象となる営業種別の営業日である対象営業日を特定する対象営業日特定手段と、
前記営業種別記憶手段が記憶する前記営業種別情報に基づいて、前記抽出期間の各営業日のうち補正基準となる営業種別の営業日である基準営業日を特定する基準営業日特定手段と、
前記遊技データ管理手段が前記抽出期間について管理する遊技データの中から前記対象営業日の遊技データである対象データを抽出する対象データ抽出手段と、
前記遊技データ管理手段が前記抽出期間について管理する遊技デ−タの中から前記基準営業日の遊技データである基準データを抽出する基準データ抽出手段と、
前記基準データと前記対象データとの比率を示す遊技データである補正情報を生成する補正情報生成手段と、
遊技データを補正する対象期間である補正対象期間を設定可能な対象期間設定手段と、
前記営業種別記憶手段が記憶する前記営業種別情報に基づき、前記補正対象期間の各営業日のうち補正対象となる営業種別の営業日である補正対象営業日を特定する補正対象営業日特定手段と、
前記遊技データ管理手段が前記補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段と、
該補正手段により補正された前記補正遊技データを出力する出力手段と、
設定値毎のスペックデータを受け付けるスペック受付手段と、
所定の営業種別における遊技機の延べ台数を設定値毎に算出する台数算出手段と、
該台数算出手段が算出した延べ台数により重み付けした前記設定値毎のスペックデータの加重平均である平均スペックを算出する平均スペック算出手段と、
該平均スペック算出手段が算出した平均スペックと所定のスペックデータとの比率に応じて前記対象データを補正した仮想対象データ、及び前記平均スペックと前記所定のスペックデータとの比率に応じて前記基準データを補正した仮想基準データのうちの少なくともいずれかである仮想データを算出する仮想データ算出手段と、を備え、
前記補正情報生成手段は、前記仮想データ算出手段が算出した仮想データを用いて前記補正情報を生成するように構成されていることを特徴とする遊技場用管理装置にある（請求項５）。
【００１９】
この場合には、設定値毎の集客効果の違いによる影響を排除しながら前記補正情報を算出できるようになる。このように算出された補正情報は、営業種別の違いによる影響を精度高く反映したものになり得る。
【発明を実施するための最良の形態】
【００２０】
本発明の実施の形態につき、以下の実施例を用いて具体的に説明する。
（実施例１）
本例は、遊技機２が設置された遊技場を管理する遊技場用管理装置１に関する例である。この内容について、図１〜図１１を用いて説明する。
本例の遊技場用管理装置１は、複数段階の出玉率に対応する複数段階の設定値のうちのいずれか１つを選択的に設定可能な遊技機２を管理対象としている。
この遊技場用管理装置１は、図１に示すごとく、遊技機２の遊技データを特定可能な遊技信号を遊技機２側から受信する受信手段１７１と、各遊技機２に設定された設定値を特定可能な設定情報を受け付ける設定情報受付手段１７２と、設定情報受付手段１７２が受け付けた設定情報、及び受信手段１７１が受信した遊技信号に基づいて特定される営業日毎の遊技データを設定値毎に区別可能な状態で管理する遊技データ管理手段１１１と、遊技場における各営業日の営業種別を特定可能な営業種別情報を記憶する営業種別記憶手段１６１と、遊技データを抽出する抽出期間を設定する抽出期間設定手段１２０と、営業種別記憶手段１６１が記憶する営業種別情報に基づいて、前記抽出期間の各営業日のうち補正対象となる営業種別の営業日である対象営業日を特定する対象営業日特定手段１２１と、営業種別記憶手段１６１が記憶する営業種別情報に基づいて、前記抽出期間の各営業日のうち補正基準となる営業種別の営業日である基準営業日を特定する基準営業日特定手段１２２と、遊技データ管理手段１１１が前記抽出期間について管理する遊技データの中から対象営業日の遊技データである対象データを抽出する対象データ抽出手段１３１と、遊技データ管理手段１１１が前記抽出期間について管理する遊技デ−タの中から基準営業日の遊技データである基準データを抽出する基準データ抽出手段１３２と、基準データと対象データとの比率を示す遊技データである補正情報（本例では、補正係数。）を生成する補正情報生成手段１４１と、遊技データを補正する対象期間である補正対象期間を設定可能な対象期間設定手段１２３と、営業種別記憶手段１６１が記憶する営業種別情報に基づき、前記補正対象期間の各営業日のうち補正対象となる営業種別の営業日である補正対象営業日を特定する補正対象営業日特定手段１２４と、遊技データ管理手段１１１が補正対象期間について管理する遊技データの中から前記補正対象営業日の遊技データである補正対象データを設定値毎に抽出し、当該設定値毎の補正対象データと前記補正情報とに基づいて設定値毎の補正遊技データを算出する補正手段１４２と、該補正手段１４２による補正された補正遊技データを出力する出力手段１０３と、を備えている。
以下、この内容について詳しく説明する。
【００２１】
本例の遊技場用管理装置１（以下、単に管理装置１という。）は、図１に示すごとく、遊技場に設置された様々な機種の遊技機２の遊技データを管理するための装置である。管理装置１は、図１に示すごとく、遊技機２及びメダル貸出装置４１が接続された中継器２１と共に通信ネットワーク２０に接続されている。本例では、通信ネットワーク２０としてＣＡＮ（Controller Area Network）を採用している。なお、通信ネットワーク２０としては、本例のＣＡＮに代えて、ＭＯＳＴやイーサネット（Ｒ）などのＬＡＮ規格等、様々な仕様のものを採用することができる。
【００２２】
管理装置１の構成を説明する前に、まず、通信ネットワーク２０に接続された遊技機２、中継器２１、及びメダル貸出装置４１等について説明する。
遊技機２は、図１に示すごとく、図柄表示窓に停止表示された図柄の組合せに応じてボーナス役等の入賞を発生させるスロットマシンである。なお、前記遊技機２としては、本例のスロットマシンに限定されるものではなく、設定値を設定可能であればパチンコ機等の遊技機であっても良い。
【００２３】
遊技機２では、ボーナス役としてＢＩＧボーナス役とＲＥＧボーナス役が設定されている。ＢＩＧボーナス役及びＲＥＧボーナス役は、遊技者側の有利度合いが高い特別状態であるＢＩＧボーナスあるいはＲＥＧボーナスの契機役である。遊技機２は、小役等の入賞に応じて払い出すメダル１枚毎のセーフ信号、投入されたメダル１枚毎のアウト信号、ＢＩＧボーナス発生中であることを表すＢＢ信号、ＲＥＧボーナス発生中であることを表すＲＢ信号等の遊技信号を出力する。
【００２４】
メダル貸出装置４１は、図１に示すごとく、遊技媒体であるメダルを貸し出す装置である。メダル貸出装置４１は、１台の遊技機２に対して１台ずつ個別に設置されている。メダル貸出装置４１は、対応する遊技機２の右側、隣り合う遊技機２との台間スペースに設置されている。メダル貸出装置４１の前面パネルには、貨幣を投入する貨幣投入口４１１と、遊技媒体であるメダルを貸し出す貸メダルノズル４１０とが配置されている。メダル貸出装置４１は、投入金額１００円毎の売上信号を遊技信号として出力する。
【００２５】
中継器２１は、図１及び図２に示すごとく、遊技機２が出力するアウト信号やセーフ信号、メダル貸出装置４１が出力する売上信号等の遊技信号を通信ネットワーク２０上の通信データに変換する装置である。中継器２１は、対応する遊技機２の遊技機ＩＤを関連付けした状態で通信ネットワーク２０に向けて遊技信号を送出する。
【００２６】
次に、管理装置１は、図１に示すごとく、液晶ディスプレイを含む出力手段１０３と、各種の演算処理を実行する装置本体１００と、キーボード及びマウスを含む入力手段１０２とを備えている。装置本体１００は、演算処理を実行するＣＰＵ１０１のほか、ハードディスクドライブ（ＨＤＤ）、ＲＯＭ、ＲＡＭ等を含む記憶手段１０６、及び各種信号あるいはデータの入出力経路をなす通信ポートを（図示略）を含むＩ／Ｏ部１０７を備えている。本例の管理装置１は、Ｉ／Ｏ部１０７を介して通信ネットワーク２０に接続され、Ｉ／Ｏ部１０７を介して各遊技機２側から出力される遊技信号を受信する。
【００２７】
入力手段１０２は、図１及び図２に示すごとく、各遊技機２に設定された設定値を表す設定情報を受け付ける設定情報受付手段１７２としての機能を備えている。
設定情報受付手段１７２は、オペレータがキーボード等を利用して入力する各遊技機２の設定値を設定情報として受け付ける手段である。設定情報受付手段１７２を利用すれば、各遊技機２を特定する遊技機ＩＤに対応付けて設定値を営業日毎に保存可能である。なお、本例の遊技機２について設定可能な設定値は、１（低設定）〜６（高設定）の６段階である。なお、本例では、図３に示すごとく、遊技機の機種毎に遊技機ＩＤをグループ分けして管理している。この場合、スペックが近似する複数の遊技機の機種を１つのグループとして管理することも良い。
【００２８】
出力手段１０３は、図１に示すごとく、補正手段１４２による補正遊技データ（図９〜図１１参照。）等を表示する手段である。出力手段１０３は、液晶ディスプレイの表示画面上に補正遊技データを表示する。なお、出力手段１０３としては、液晶ディスプレイ等の表示装置に限られるものではなく、補正遊技データを印字出力する印刷装置等であっても良い。
【００２９】
Ｉ／Ｏ部１０７は、遊技機２側から遊技信号を受信する受信手段１７１としての機能を備えている。
受信手段１７１は、遊技機２側から遊技信号を受信する手段である。受信手段１７１が受信する遊技信号は、遊技機ＩＤが関連付けされており、送信元の遊技機２を特定可能な信号である。遊技信号としては、前述のごとく、アウト信号、セーフ信号、ＢＢ信号、ＲＥＧ信号、売上信号等がある。
【００３０】
記憶手段１０６は、図１及び図４に示すごとく、営業日の営業種別を記憶する営業種別記憶手段１６１、各遊技機２の遊技データを記憶する遊技データ記憶手段１６２としての機能を備えている。
営業種別記憶手段１６１は、営業日毎の営業種別情報を記憶する手段である。営業種別記憶手段１６１は、営業種別を表す営業種別情報を営業日毎に記憶している。本例では、営業種別として特定日と平日とを設定している。図４中、ハッチングにより表示された特定日は、集客を期待できる土曜日、日曜日、祝日である。平日は、特定日以外の営業日である。さらに、同図では、８月１３日から８月１７日までの盆休みの期間が特定日として追加設定されている。
【００３１】
遊技データ記憶手段１６２は、遊技機ＩＤにより特定される各遊技機の遊技データを営業日毎に記憶する手段である。遊技データ記憶手段１６２が記憶する遊技データ（図５参照。）は、各遊技信号の受信回数を集計し、その受信回数に基づいて所定の演算処理を行うことで集計される。
【００３２】
ＣＰＵ１０１は、図１に示すごとく、ソフトウェアプログラムの実行により、対象営業日を特定する対象営業日特定手段１２１、基準営業日を特定する基準営業日特定手段１２２、対象データを抽出する対象データ抽出手段１３１、基準データを抽出する基準データ抽出手段１３２、補正情報（本例では、補正係数。）を生成する補正情報生成手段１４１と、設定値毎の補正遊技データを算出する補正手段１４２、遊技データを管理する遊技データ管理手段１１１、抽出期間等を設定する抽出期間設定手段１２０、補正対象期間等を設定する対象期間設定手段１２３としての各機能を実現する。
【００３３】
抽出期間設定手段１２０は、図１及び図４に示すごとく、オペレータがキーボード等を利用して入力した期間を設定する手段である。本例では、１０月１日〜１０月３１日の１ヶ月間が抽出期間として設定されている。なお、抽出期間としては、営業種別で区別した営業日や、例えば、１日〜２４日というような期間等を設定することもできる。
対象期間設定手段１２３は、オペレータがキーボード等を利用して入力した期間を設定する手段である。本例では、１０月１日〜１０月３１日の１ヶ月間が補正対象期間として設定されている。なお、補正対象期間としては、営業種別で区別した営業日や、例えば、１日〜２４日というような期間等を設定することもできる。
なお、本例では、抽出期間と補正対象期間とを同じ期間としたが、これに代えて、抽出期間と補正対象期間とを異なる期間とすることもできる。
【００３４】
対象営業日特定手段１２１は、図１及び図４に示すごとく、補正対象となる営業種別の営業日を対象営業日として特定する手段である。対象営業日特定手段１２１は、図４のようにして設定した各営業日の営業種別に基づいて対象営業日を特定する。
基準営業日特定手段１２２は、補正基準となる営業種別の営業日を基準営業日として特定する手段である。基準営業日特定手段１２２は、図４のようにして設定した各営業日の営業種別に基づいて基準営業日を特定する。
補正対象営業日特定手段１２４は、補正対象期間における補正対象となる営業種別の営業日である補正対象営業日を特定する手段である。
【００３５】
対象データ抽出手段１３１（図１）は、図５のように営業日毎に集計された遊技データのうち、対象営業日特定手段１２１が特定した対象営業日における遊技データを抽出して集計する。例えば、特定日の遊技データを基準（以下、特定日基準という。）とした補正であれば、平日が対象営業日として特定されるので、平日における遊技データを抽出して集計した図７の遊技データが対象データとなる。一方、平日の遊技データを基準（以下、平日基準という。）とすれば、特定日が対象営業日として特定されるので、特定日の遊技データを抽出して集計した図８の遊技データが対象データとなる。
【００３６】
基準データ抽出手段１３２（図１）は、図５のように営業日毎に集計された遊技データのうち、基準営業日特定手段１２２が特定した基準営業日における遊技データを抽出して集計する。例えば、特定日の遊技データを基準とした補正であれば、特定日が基準営業日として特定されるので、特定日における遊技データを抽出して集計した図８の遊技データが基準データとなる。一方、平日の遊技データを基準とすれば、平日が基準営業日として特定されるので、平日の遊技データを抽出して集計した図７の遊技データが基準データとなる。
【００３７】
補正情報生成手段１４１は、図１に示すごとく、補正係数を算出する手段である。本例の補正係数は、対象データに対する基準データの比率である。具体的には、本例では、基準データを対象データにより除算することにより補正係数を算出している。
補正手段１４２は、図１に示すごとく、補正遊技データを算出する手段である。補正手段１４２は、補正情報生成手段１４１により算出された補正係数に基づいて補正遊技データを算出する。本例の補正遊技データの算出方法については、図９〜図１１を参照して後述する。
【００３８】
遊技データ管理手段１１１は、図１及び図５に示すごとく、前記遊技データ記憶手段１６２が記憶する遊技データを管理する手段である。遊技データ管理手段１１１は、各遊技機２の遊技データを営業日毎に管理している。遊技データ管理手段１１１は、図２に基づき遊技機ＩＤにより特定される各遊技機２の設定値を関連付けた状態で遊技データを管理している。なお、図５に示す遊技データを所定の演算処理により設定値毎に集計した遊技データが図６となる。
【００３９】
ここで、図５に示すごとく遊技データ管理手段１１１が管理する遊技データの内容を説明する。同図は、ある１日の営業日について、図３によりグループ化された機種Ａの各遊技機２の遊技データを示す図である。同図では、遊技機ＩＤにより特定される各遊技機２について、設定値、使用されたメダル数を表すアウト、払い出されたメダル数を表すセーフ、ＢＩＧボーナスの発生回数を表すＢＢ、ＲＥＧボーナスの発生回数を表すＲＢ、遊技者側が獲得したメダル数を表す差数、アウトに対するセーフの割合を示す出玉率、遊技場側の売上を表す売上金額、遊技場側の利益を表す粗利金額等の各種の遊技データが図示されている。なお、設定値は、図２を参照して特定している。
【００４０】
アウトは、メダルが１枚投入される毎に遊技機２が出力するアウト信号の受信回数を積算して集計される。セーフは、メダルが１枚払い出される毎に遊技機２が出力するセーフ信号の受信回数を積算して集計される。差数は、アウトからセーフを差し引いて算出される。出玉率は、セーフをアウトにより除算して算出される。売上金額とは、売上金額１００円毎にメダル貸出装置４１が出力する売上信号の受信回数に１００円を乗じて算出される。粗利金額は、（売上金額−（売上金額÷貸出単価−差数）×交換単価）なる算出式により算出される。なお、本例では、貸出単価が２０円であり、交換単価が１６円となっている。また、最下段の総合計の欄は、営業日１日分の合計の遊技データである。下から２段目の総平均の欄は、合計の遊技データを遊技機２の台数で除算した１台１日当たりの平均の遊技データである。
【００４１】
次に、上記のように構成された管理装置１により管理される遊技データ（図６）、対象データ（図７あるいは図８）、基準データ（図７あるいは図８）、補正遊技データ（図９〜図１１）について説明する。
図６〜図８は、機種Ａの各遊技機２について１０月１日から１０月３１日までの補正対象期間における遊技データを示す図である。図６は、補正対象期間の全営業日（３１日）についての設定値毎の遊技データを示す図である。図７は、補正対象期間のうち、２２日間の平日について抽出された設定値毎の遊技データを示す図である。図８は、補正対象期間のうち、９日間の特定日について抽出された設定値毎の遊技データを示す図である。
【００４２】
図６〜図８は、全て、上段の（Ａ）と下段の（Ｂ）とを組み合わせてなる。（Ｂ）は、合計の遊技データを設定値毎に示す図である。同図の台数欄は、設定値毎の営業日単位の延べ台数（例えば、１台の遊技機について同じ設定値が２日設定されれば２台となる。）を示してある。（Ａ）は、遊技機１台１日当たりの平均の遊技データを設定値毎に表示している。（Ａ）に示す平均の遊技データは、（Ｂ）の合計の遊技データを延べ台数により除算して算出される。
【００４３】
図９〜図１１は、１０月１日から１０月３１日までの補正対象期間における補正遊技データを示す図である。図９は、平日基準（平日の遊技データを基準）による補正遊技データを示し、図１０は、特定日基準（特定日の遊技データを基準）による補正遊技データを示している。なお、図１１は、補正対象期間の全営業日についての平均の遊技データ（図６参照。）を基準データ（以下、平均値基準という。）として補正された補正遊技データを示す図である。
【００４４】
図９〜図１１は、全て、上段の（Ａ）と下段の（Ｂ）とを組み合わせてなる。（Ｂ）は、補正された合計の遊技デ−タを示し、（Ａ）は、補正された平均の遊技データを示している。補正遊技データの算出に用いた補正係数は、（Ｂ）の最下段に示されている。例えば、平日基準の補正係数である補正率（図９）は、（基準データである図７中のアウトの総平均：１１９２７）÷（対象データである図８中のアウトの総平均：１６１５０）＝約７３．９％となっている。同様に、特定日基準の補正係数である補正率（図１０）は、（図８中のアウトの総平均：１６１５０）÷（図７中のアウトの総平均：１１９２７）＝約１３５．４％となっている。
【００４５】
なお、平均値基準の補正係数としては、図１１に示すごとく２つの値がある。平均値を基準として平日の遊技データを補正するための第１の補正係数である補正率１は、（図６中のアウトの総平均：１３１５３）÷（図７中のアウトの総平均：１１９２７）＝約１１０．３％となる。一方、平均値を基準として特定日の遊技データを補正するための第２の補正係数である補正率２は、（図６中のアウトの総平均：１３１５３）÷（図８中のアウトの総平均：１６１５０）＝約８１．４％となる。
【００４６】
ここで、図９の補正遊技データの算出方法について説明する。同図中の補正遊技データは、平日基準で補正された特定日の遊技データに対して、平日の遊技データを加算して算出される。平日基準で補正された特定日の遊技データは、特定日の遊技データ（図８）に対して補正率：７３．９％（図９）を乗じて算出される。例えば、図８（Ｂ）における設定値３のアウト計：３７９０８０を平日基準で補正する場合には、３７９０８０に補正率：７３．９％を乗じて平日基準で補正されたアウト計：２７９９７５が算出される。そして、図９（Ｂ）に示す設定値３のアウト計の補正遊技データ：６３８２４１は、平日基準で補正されたアウト計：２７９９７５に対して、平日のアウト計：３５８２６６（図７（Ｂ））を加算して算出される。なお、補正率の有効桁数としては、乗算対象の数値の桁数に応じて十分に確保する必要がある。補正率の有効桁数が不足すると、丸め誤差が増幅されるおそれがある。
【００４７】
また、図１０の補正遊技データの算出方法について説明する。同図中の補正遊技データは、特定日基準で補正された平日の遊技データに対して、特定日の遊技データを加算して算出される。特定日基準で補正された平日の遊技データは、平日の遊技データに対して補正率（図１０）を乗じて算出される。例えば、図７（Ｂ）における設定値３のアウト計：３５８２６６を特定日基準で補正する場合には、３５８２６６に補正率：１３５．４％（図１０）を乗じて特定日基準で補正されたアウト計：４８５０８５が算出される。そして、図１０（Ｂ）に示す設定値３のアウト計の補正遊技データ：８６４１６５は、特定日基準で補正されたアウト計：４８５０８５に対して、特定日のアウト計：３７９０８０（図８（Ｂ））を加算して算出される。
【００４８】
さらに、図１１の補正遊技データの算出方法について例示する。同図中の補正遊技データは、平均値基準で補正された特定日の遊技データと、平均値基準で補正された平日の遊技データとを合算して算出される。平均値基準で補正された平日の遊技データの算出には、前記第１の補正率：１１０．３％が利用される。また、平均値基準で補正された特定日の遊技データの算出には、前記第２の補正率：８１．４％が利用される。例えば、設定値３のアウト計について特定日の遊技データを平均値基準に補正する場合には、平日のアウト計：３５８２６６（図７）に前記第１の補正率：１１０．３％を乗じることにより、補正されたアウト計：３９５０８４が算出される。同様に、設定値３のアウト計について平日の遊技データを平均値基準に補正する場合には、特定日のアウト計：３７９０８０（図８）に前記第２の補正率：８１．４％を乗じることにより、補正されたアウト計３０８７４７が算出される。そして、設定値３のアウト計の補正遊技データは、補正された平日の遊技データ：３９５０８４と、補正された特定日の遊技データ：３０８７４７との合算値である７０３８３１となる。
【００４９】
なお、本例では、稼動状況を示す遊技データであるアウトを所定の遊技データとして全遊技データの補正係数（補正率）の対象としたので、セーフ等の他の遊技データについても、アウトと同様に前記補正率に基づいて算出する。以上のようにして合計の遊技データを算出した上で、図６〜図８について同様に（Ａ）を算出する。なお、補正係数の対象としては、アウト以外の遊技データを採用しても良いし、アウトについてはアウトを補正係数の対象とし、セーフについてはセーフを補正係数の対象とする等、遊技データ毎に対応する補正係数を算出することも良い。
【００５０】
次に、本例の遊技場用管理装置１が算出する補正遊技データの有効性について説明する。
従来の管理装置が管理する図６のような補正前の遊技データでは、設定値２より設定値１の方が遊技機１台１日当たりの平均のアウトが多くなっている。したがって、同図の遊技データに基づいて判断すると、設定値２よりも遊技者側の有利度合いが低い設定値１の方が遊技者に好まれていると誤って判断されるおそれがある。このような誤った判断に従って平日における設定値１の遊技機の台数を増加させると、稼動が大きく落ち込むと共に客離れが進行してしまうおそれが高い。
【００５１】
一方、図９〜図１１に示す補正遊技データによれば、設定値１よりも設定値２の方が遊技機１台１日当たりのアウトが多くなっており、設定値１よりも設定値２の方が遊技者に好まれる設定であると正しく判断できる。なお、図９〜図１１の補正遊技データにおいて、設定値２より設定値１の方がアウトが多くなる場合も考えられるが、このような場合、設定値１よりも設定値２の方が遊技者に好まれる設定であると判断してもかまわない。このような判断に基づいて平日に設定値１の遊技機を増台しても、稼動が落ち込むことがないか、あるいは落ち込む可能性が低いと予想できる。
【００５２】
本例の遊技場用管理装置１によれば、平日に設定値１の遊技機を設定しない場合や、特定日に設定値２の遊技機を少数しか設定しない場合であっても、設定値１の遊技データと設定値２の遊技データとを対等に比較することが可能となる。この場合、設定値６等の設定頻度が低い遊技機においても、遊技データの集合母体を多くすることが可能であり、設定値６の遊技機についての適正な台数を管理することが可能である。
【００５３】
以上のように、本例の遊技場用管理装置１が算出する補正遊技データは、土日や平日等、営業日毎の営業種別によらず、遊技者に支持される設定値を精度高く把握するために非常に有用な遊技データである。
【００５４】
なお、曜日毎に遊技データの集計を実施することも良い。この場合には、基準となる曜日の遊技データ（基準データ）と、曜日毎の遊技データ（対象データ）との割合を補正率として算出することにより、曜日毎の補正遊技データが算出可能になる。
さらに、本例に代えて、例えば、土日祝を第１特定日として設定する一方、イベント日を第２特定日として設定する等、特定日を複数に区分けしても良い。この場合には、第１特定日、第２特定日、及び第１特定日でもあり第２特定日でもある特定日等、パターン毎に日毎の遊技データを区分けし、各々の遊技データを本例と同様に補正率を用いて補正するようにしても良い。特定日の種類としては、３種類以上であっても良い。
【００５５】
またなお、本例における遊技データの項目や、具体的な数値等は全て例示であり、遊技データの項目や数値を変更しても良い。特に、補正係数については、補正率を採用したが、対象データと基準データとの比を採用し、その比に基づいて遊技データを補正することも良い。この場合においても結果として遊技データに補正率を乗じることになる。なお、両者を考慮し、特許請求の範囲において「補正情報」と表現している。
さらに、図６〜図８に示す遊技データの出力は必須ではない。図９〜図１１の補正遊技データのうちの少なくともいずれか１つを出力すれば良い。
【００５６】
なお、本例では、補正率を算出する場合の対象データ及び基準データの抽出期間を補正対象期間に一致させているが、当該抽出期間が補正対象期間とは異なっていても良い。例えば、ある機種の導入１、２週目の遊技データに基づいて補正率を算出する一方、３週目を補正対象期間として設定することもできる。
また、本例では、入力手段１０２を利用した入力操作により設定情報を入力しているが、これに代えて、設定値を表す設定情報を出力可能なように遊技機２あるいは中継器２１を構成することも良い。
【００５７】
さらになお、本例の遊技場用管理装置１が管理する対象の遊技機２としては、スロットマシンに限定されない。設定値を設定可能な遊技機であればパチンコ等他の遊技機を管理対象としても良い。
またなお、中継器２１と管理装置１との間に介設される図示しない中継装置等に、補正遊技データを算出する機能を組み込むことも可能である。つまり、本発明における管理装置の概念は、中継装置等も含めた広義の管理装置を意味している。
【００５８】
（実施例２）
本例は、実施例１の遊技場用管理装置を基にして、予測遊技データを算出するシミュレート機能を追加した例である。この内容について、図９、図１０、図１２〜図１４を用いて説明する。ここで、図９及び図１０は、実施例１で説明した通り、１０月１日〜３１日の補正対象期間における補正遊技データである。図９が平日基準の補正遊技データであり、図１０が特定日基準の補正遊技データである。
【００５９】
本例の管理装置１では、図１２に示すごとく、実施例１の管理装置を基にして、設定値毎の予測遊技データを算出するシミュレート手段１５１と、設定値毎の遊技機数を設定する条件設定手段１５２とが追加されている。そして、本例では、出力手段１０３が、図１３に示すごとく、シミュレート対象期間における予測遊技データを表示する。
【００６０】
シミュレート手段１５１は、シミュレート対象期間における設定値毎の予測遊技データを算出する手段である。シミュレート手段１５１は、実施例１において参照した図９の平日基準の補正遊技データ、及び同様の図１０の特定日基準の補正遊技データに基づいて予測遊技データを算出する。なお、予測遊技データの詳しい算出方法については、後で説明する。ここで、前記シミュレート対象期間は、抽出期間設定手段１２０を介して設定される。本例では、１１月１日〜１１月３０日までの１か月をシミュレート対象期間として設定している。
【００６１】
条件設定手段１５２は、図１２及び図１３に示すごとく、シミュレート対象期間に属する各営業日における営業種別及び設定値毎の遊技機数を、シミュレーション条件として設定する手段である。本例の条件設定手段１５２は、入力手段１０２を利用して各営業日の営業種別及び遊技機の台数を設定可能である。図１３では、１１月１日〜３０日までのシミュレート対象期間に属する各営業日が特定日あるいは平日に分類されていると共に、各営業日における設定値毎の遊技機２の台数が管理されている。図１３では、土曜日、日曜日、祝日が特定日（同図中、ハッチング部分。）として設定されており、それ以外の日が平日として設定されている。同図では、特定日が９日間であり、平日が２１日間となっている。
【００６２】
図１３中、「平日合計」及び「特定日合計」の欄には、各営業種別における設定値毎の遊技機２の延べ台数が表示されている。また、同図中、「平日平均」及び「特定日平均」の欄は、「平日合計」及び「特定日合計」に示す遊技機２の延べ台数をシミュレート対象期間における各営業種別の日数で除算した１日当たりの平均台数を示している。
なお、本例では、図１３に示すごとく、シミュレート対象期間における全営業日について遊技機の台数を入力したが、これに代えて、「平日合計」及び「特定日合計」の延べ台数のみを入力することも可能である。
【００６３】
次に、実施例１の補正遊技データに基づく予測遊技データの算出方法について、図９、図１０、図１３及び図１４を用いて詳しく説明する。
図１４は、図１３のシミュレーション条件下におけるシミュレーション結果である予測遊技データを表示する図である。図１４は、上段の（Ａ）と下段の（Ｂ）とを組み合わせてなる。（Ｂ）は、予測遊技データの合計値を示し、（Ａ）は、予測遊技データの平均値を示している。本例では、まず、（Ｂ）の予測遊技データの合計値を算出し、同図中「台数」欄に示す延べ台数の合計により除算することで予測遊技データの平均値を算出している。ここで、延べ台数の合計は、図１３中の「平日合計」の延べ台数と「特定日合計」の延べ台数との合計台数である。
【００６４】
図１４（Ｂ）中の各予測遊技データの合計値は、平日基準の１日当たりの平均の遊技データ（図９（Ａ））に「平日合計」の延べ台数（図１３）を乗じた値と、特定日基準の１日当たりの平均の遊技データ（図１０（Ａ））に「特定日合計」の延べ台数（図１３）を乗じた値との合計として算出される。例えば、設定値３のアウト計の予測遊技データについては、（「平日合計」の延べ台数：２８台）×（平日のアウト平均：１３０２５）と、（「特定日合計」の延べ台数：１２台）×（特定日のアウト平均：１７６３６）との合計値である５７６３４１となる。
【００６５】
そして、図１４（Ａ）の予測遊技データの平均値は、同図（Ｂ）の予測遊技データの合計値を、遊技機の延べ台数により除算した算出される。例えば、設定値３の遊技機のアウト平均の予測遊技データは、設定値３の延べ台数である４０台により前記５７６３４１を除算することにより１４４０９と算出される。
【００６６】
このように算出された図１４の予測遊技データは、遊技場の営業計画に利用可能であることはもちろん、シミュレート対象期間の全営業日の遊技データを予め把握するのに役立つ。将来の遊技デ−タを精度高く予測できれば、売上や粗利を高めるために有効な設定値毎の台数配分を検討可能である。例えば、図９〜図１１で示すように算出された補正遊技データの結果が設定値２よりも設定値１の稼動（アウト）が多い（遊技者に好まれる）と判断された場合、図１４のような予測遊技データに基づいて設定値１の台数をどれくらい増台すれば良いのかを検討できる。
なお、他の構成及び作用効果については、実施例１と同様である。
【００６７】
（実施例３）
本例は、実施例２の遊技場用管理装置を基にして、シミュレーション条件を変更した例である。この内容について、図１５及び図１６を用いて説明する。
本例の遊技場用管理装置は、実施例２の管理装置を基にして、シミュレーション条件に適合する各設定値の遊技機の台数の組合せである台数パターンを算出する台数パターン算出手段（図示略）と、抽出対象となる遊技データ範囲を設定するための範囲設定手段（図示略）と、を追加した管理装置である。
【００６８】
そして、本例の条件設定手段は、シミュレート対象期間に属する各営業日の営業種別、該各営業日において各設定値に割り当て可能な遊技機の台数範囲、及び遊技機の合計台数をシミュレーション条件として設定可能である。
また、本例のシミュレート手段は、シミュレート対象期間において予測される台数パターン毎の予測遊技データを算出する。さらに、本例の出力手段は、台数パターン算出手段が算出した台数パターンのうち、予測遊技データが前記遊技データ範囲に属する台数パターンのリストを出力する。
【００６９】
本例の管理装置による予測遊技データの一例を図１５に示す。同図は、設置台数が８台の機種Ａについて、設定値の台数パターンを全て（例えば、８台の設置台数に対して６段階の設定値なら１２８０パターン。）抽出し、抽出された台数パターン毎に算出された予測遊技データを示している。同図の予測遊技データ（合計値）は、図９あるいは図１０の補正遊技データに対して、各台数パターンにおける設定値毎の台数を乗じて算出される。また、同図の予測遊技データ（平均値）は、予測遊技データ（合計値）を遊技機の台数である８台により除算して算出される。
【００７０】
例えば、図１５中の台数パターンＮｏ２についての平日の予測遊技データは、次のように算出される。図９に示すごとく設定値１の平均アウトが８８０７、設定値２の平均アウトが１００１３である一方、台数パターンＮｏ２における設定値１の台数が７台、設定値２の台数が１台である。そこで、予測遊技データの合計値（合計アウト）は、８８０７×７＋１００１３×１＝７１６６２と算出され、平均アウトが７１６６２÷８＝８９５８と算出される。
【００７１】
図１５の台数パターン毎の予測遊技データに基づけば、図１６に示す台数パターンを抽出することも可能である。図１６は、図１５に示す台数パターン毎の予測遊技データに対して平均粗利が３０００円以上という遊技データ範囲を適用して抽出された台数パターンのリストを示している。同図では、抽出された台数パターンのうち、平均アウトが多い順に２０の台数パターンが表示されている。
【００７２】
以上のように、シミュレーション条件に沿って算出された予測遊技デ−タのうち、遊技データ範囲に適合する台数パターンを参照すれば、各遊技機に対して設定値を設定する場合や、実施例２で参照した図１３のごとくシミュレーション条件を設定するに当たって、予測遊技データを事前に把握し易くなるため、効率的に設定値の配分を決定できるようになる。
なお、その他の構成及び作用効果については実施例２と同様である。
【００７３】
また、図１５のような台数パターンを算出するに当たって、いずれかの設定値について、設定可能な台数範囲を定めることもできる。例えば、設定値６が１台以上という台数範囲を設定すれば、設定値６がゼロ台という台数パターンをシミュレーションから予め排除できる。なお、このような台数範囲に関するシミュレーション条件については、予測遊技データの算出前に設定することが好ましい。この場合には、予測遊技データを算出する対象の台数パターンのパターン数を抑制でき、計算負荷を未然に低減できる。
【００７４】
（実施例４）
本例は、実施例１の遊技場用管理装置を基にして、補正情報生成手段の構成を変更した例である。この内容について、図１７及び図１８を用いて説明する。
本例の遊技場用管理装置は、設定値毎のスペックデータを受け付けるスペック受付手段（キーボード、ＤＶＤドライブ、Ｉ／Ｏ等）と、所定の営業種別における遊技機の延べ台数を設定値毎に算出する台数算出手段（ＣＰＵ）と、台数算出手段が算出した延べ台数により重み付けした設定値毎のスペックデータの加重平均である平均スペックを算出する平均スペック算出手段（ＣＰＵ）と、平均スペックと所定のスペックデータとの比率に応じて対象データを補正した仮想対象データ、及び平均スペックと所定のスペックデータとの比率に応じて基準データを補正した仮想基準データを算出する仮想データ算出手段（ＣＰＵ）と、を備えている。なお、これらの手段の図示は省略する。
【００７５】
具体的には、スペック受付手段は、図１７に示すごとく、設定値毎のスペックデータとして出玉率を受け付ける手段である。スペック受付手段は、遊技場の管理者等による操作入力（キーボード）、ＤＶＤ等に記録された情報の読み込み（ＤＶＤドライブ）、あるいは外部信号入力（Ｉ／Ｏ）等によりスペックデータを受け付ける。
【００７６】
台数算出手段は、図１８の「台数」の欄のごとく、所定の営業種別における設定値毎の延べ台数を算出する手段である。なお、図１８では、特定日、平日、あるいは営業日全体について、設定値毎に算出した延べ台数を「台数」欄に示している。
【００７７】
平均スペック算出手段は、台数算出手段が算出した設定値毎の延べ台数にスペックデータである出玉率を乗じて合算した値を全ての設定値の延べ台数により除算することで平均スペックを算出する手段である。例えば、図８の場合では、出玉率が９６％である設定値１の延べ台数が３０台であるから、図１８（Ａ）のごとく、これらを乗じた合計値が２８．８となる。この演算を全ての設定値について行い、算出された値を合計すると７１．５９になる。さらに全ての設定値の延べ台数である７２で除算すると９９．４３％となる。同様に、図７の場合では、図１８（Ｂ）のごとく、１００．５２％となり、図６の場合では、図１８（Ｃ）のごとく、１００．２０％となる。なお、図１８では、特定日、平日、あるいは営業日全体における平均スペックを、図１８における「平均出玉率」欄に示している。
【００７８】
仮想データ算出手段は、平均スペックが所定のスペックデータ（例えば、１００％、以下、「所定値」）となるよう、遊技機の設定値毎の延べ台数配分を行った場合に見込まれる対象データ（仮想対象データ）及び基準データ（仮想基準データ）のうちの少なくともいずれかである仮想データを算出する手段である。これら仮想対象データ及び仮想基準データなどの仮想データを算出する目的は、スペック上の平均出玉率の変動に応じて稼動データが連動して変動し得る（出玉が得やすいので稼動が増加する等）という現状を反映させた仮想の対象データあるいは基準データを得ることにある。例えば、図８の場合、上述のごとく平均スペックが９９．４３％で、平均アウトが１６１５０であるので、仮想対象（基準）データが１６１５０×１００％÷９９．４３％＝１６２４２と算出される。同様に図７の場合には、１１９２７×１００％÷１００．５２％＝１１８６６、図６の場合には１３１５３×１００％÷１００．２０％＝１３１２７が仮想対象（基準）データとして算出される。なお、仮想対象（基準）データは、図１８では補正合計アウトとして示している。
【００７９】
補正情報生成手段は、仮想データ算出手段が仮想データを算出した際、当該仮想データを用いて補正係数を生成する。例えば、特定日の遊技データ（図８）を基準として平日の遊技データ（図７）を補正するのであれば（すなわち、図１０の場合。）、基準平均スペックは特定日の平均出玉率９９．４３％（図１８（Ａ））となり、対象平均スペックは平日の平均出玉率１００．５２％（同図（Ｂ））となる。同様に、仮想基準データは、図８に対応する前記１６２４２であり、仮想対象データは図７に対応する前記１１８６６となる。この場合、補正率は、１６２４２÷１１８６６＝１３６．９％となる。同様に図９の補正率は、１１８６６÷１６２４２＝７３．１％、図１１の第１の補正率は、１３１２７÷１１８６６＝１１０．６％、第２の補正率は、１３１２７÷１６２４２＝８０．９％となる。なお、基準平均スペック、あるいは対象平均スペック自体を所定値（所定のスペックデータ）としても良く、この場合は、所定値とした平均スペックに対応する対象（基準）データについては仮想対象（基準）データを算出する必要がなくなる。もちろん、その他、営業日の属性に応じた実際の出玉率等、どのような値を所定値として設定しても良い。また、スペックデータとして出玉率以外にアウトやボーナス数等を採用することもできる。また、全国の遊技場から収集したデータに基づいた設定値毎の遊技データをスペックデータとして設定しても良い。
【００８０】
以上のように、本例の遊技場用管理装置によれば、営業種別に応じて遊技機の調整（設定値の配分）が異なったとしても、統一した（出玉率が所定値（１００％）となる）調整における遊技データに補正できる。それ故、営業種別に応じて遊技機の調整が相違している場合であっても、精度高く補正係数（補正率）を算出可能である。
なお、その他の構成及び作用効果については、実施例１と同様である。
【図面の簡単な説明】
【００８１】
【図１】実施例１における、遊技場用管理装置を含む遊技場管理システムを示すシステム図。
【図２】実施例１における、遊技機ＩＤ毎の設定値を示す説明図。
【図３】実施例１における、遊技機のグループを示す説明図。
【図４】実施例１における、特定日と平日との区分を示す説明図。
【図５】実施例１における、遊技データ管理手段が管理する遊技データを示す説明図。
【図６】実施例１における、補正対象期間における遊技データを示す説明図。
【図７】実施例１における、補正対象期間における平日の遊技データを示す説明図。
【図８】実施例１における、補正対象期間における特定日の遊技データを示す説明図。
【図９】実施例１における、平日基準の補正遊技データを示す説明図。
【図１０】実施例１における、特定日基準の補正遊技データを示す説明図。
【図１１】実施例１における、平均値基準の補正遊技データを示す説明図。
【図１２】実施例２における、遊技場用管理装置を含む遊技場管理システムを示すシステム図。
【図１３】実施例２における、シミュレーション条件を示す説明図。
【図１４】実施例２における、予測遊技データを示す説明図。
【図１５】実施例３における、台数パターン毎の予測遊技データを示す説明図。
【図１６】実施例３における、出力手段が出力する台数パターンのリストを示す説明図。
【図１７】実施例４における、設定値毎のスペックデータを示す説明図。
【図１８】実施例４における、補正予測データを示す説明図。
【符号の説明】
【００８２】
１  遊技場用管理装置（管理装置）
１１１  遊技データ管理手段
１２０  抽出期間設定手段
１２１  対象営業日特定手段
１２２  基準営業日特定手段
１２３  対象期間設定手段
１２４  補正対象営業日特定手段
１３１  対象データ抽出手段
１３２  基準データ抽出手段
１４１  補正情報生成手段
１４２  補正手段
１５１  シミュレート手段
１５２  条件設定手段
１６１  営業種別記憶手段
１６２  遊技データ記憶手段
１７１  受信手段
１７２  設定情報受付手段
２  遊技機
２０  通信ネットワーク
２１  中継器
４１  メダル貸出装置
【図１】
0005184140.tif 000002
【図２】
0005184140.tif 000003
【図３】
0005184140.tif 000004
【図４】
0005184140.tif 000005
【図５】
0005184140.tif 000006
【図６】
0005184140.tif 000007
【図７】
0005184140.tif 000008
【図８】
0005184140.tif 000009
【図９】
0005184140.tif 000010
【図１０】
0005184140.tif 000011
【図１１】
0005184140.tif 000012
【図１２】
0005184140.tif 000013
【図１３】
0005184140.tif 000014
【図１４】
0005184140.tif 000015
【図１５】
0005184140.tif 000016
【図１６】
0005184140.tif 000017
【図１７】
0005184140.tif 000018
【図１８】
0005184140.tif 000019